(57)【要約】      （修正有）【課題】簡便な構成で制御基板に対する不正行為を防止できる基板ケースの不正開放防止機構を提供する。【解決手段】不正開放防止機構８０は、複数の本体側係合部９０と、複数の蓋側係合部１００と、蓋側開口部９４および本体側開口部１０４に挿入されることにより本体側係合部９０および蓋側係合部１００と係合して、ケース本体部材にケース蓋部材を閉止装着した状態を保持するストッパ部材１１０と、蓋側開口部１０４に挿入されて係合し蓋側開口部を閉塞するキャップ部材１２０と、ストッパ部材１１０は蓋側開口部１０４を通過させるが、キャップ部材１２０が外部側に抜け出るのを規制する位置決め突起１０７とを備え、複数の本体側係合部９０および複数の蓋側係合部１００のうちの少なくとも一組は当該本体側係合部９０と当該蓋側係合部１００とを係合状態で連結可能にし、その他の組はキャップ部材１２０により当該蓋側係合空間１０４を閉塞可能に構成する。【選択図】図８
2010184063.tif 000002
【特許請求の範囲】
【請求項１】
ケース本体部材と、前記ケース本体部材に開閉可能に装着されるケース蓋部材とを備え、前記ケース本体部材に対し前記ケース蓋部材を閉止状態で装着して形成されるケース内部に遊技機に搭載された電子部品を制御する制御基板を収容する基板ケースにおいて、
前記ケース本体部材に設けられ、前記ケース本体部材に前記ケース蓋部材を装着したときに前記ケース蓋部材に対向する側の一端が開口した本体側係合空間が形成された複数の本体側係合部と、
前記ケース蓋部材に設けられ、前記ケース本体部材に前記ケース蓋部材を装着したときに前記本体側開口空間に対向して重なって前記本体側開口空間と外部とを連通させる蓋側係合空間が形成されるとともに、前記ケース本体部材に前記ケース蓋部材を装着したときに前記本体側係合部と対向して重なるように形成された複数の蓋側係合部と、
前記外部側から前記蓋側係合空間および前記本体側係合空間に挿入されることにより前記本体側係合部および前記蓋側係合部と係合して、前記ケース本体部材に前記ケース蓋部材を閉止装着した状態を保持するストッパ部材と、
前記蓋側係合空間に係脱可能に係合し、前記ケース蓋部材が前記ケース本体部材から外された状態で、前記ケース内部側から前記蓋側係合空間に挿入されて係合し前記蓋側係合空間を閉塞するキャップ部材と、
前記蓋側係合空間に設けられ、前記外部側から挿入される前記ストッパ部材は前記蓋側係合空間を通過させるが、前記蓋側係合空間に挿入された前記キャップ部材が前記外部側に抜け出るのを規制する規制部材とを備え、
前記複数の本体側係合部および前記複数の蓋側係合部の少なくとも一組については前記ストッパ部材を介して当該本体側係合部と当該蓋側係合部とを係合状態で連結可能にし、その他の組については前記キャップ部材により当該蓋側係合空間を閉塞可能に構成することを特徴とする基板ケースの不正開放防止機構。
【請求項２】
前記ストッパ部材は、前記本体側係合部および前記蓋側係合部に係合された状態で、前記連通方向と平行な回転軸の回りに回転自在に構成されることを特徴とする請求項１に記載の基板ケースの不正開放防止機構。
【請求項３】
前記本体側係合部および前記蓋側係合部の少なくとも一方の内部に、前記ケース本体部材に前記ケース蓋部材を装着したときに重ね合わされた対向面側に開口して、前記ストッパ部材もしくは前記キャップ部材を収納可能な収容空間が形成され、
前記収容空間内には、前記ストッパ部材および前記キャップ部材を係脱可能に保持する係止手段が設けられていることを特徴とする請求項１または２に記載の基板ケースの不正開放防止機構。
【請求項４】
前記本体側係合部および前記蓋側係合部の少なくとも一方における前記ケース本体部材もしくは前記ケース蓋部材との連結部が切断可能に構成され、
前記ストッパ部材により前記本体側係合部と前記蓋側係合部とを係合して前記ケース本体部材に前記ケース蓋部材を閉止装着した状態であっても、前記連結部を切断して前記ケース本体部材から前記ケース蓋部材を開放することができるように構成されていることを特徴とする請求項１〜３のいずれかに記載の基板ケースの不正開放防止機構。
【発明の詳細な説明】
【技術分野】
【０００１】
本発明は、遊技機の作動を制御する制御基板等を収容する基板ケースにおいて、この基板ケースが不正に開放されることを防止する基板ケースの不正開放防止機構に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠に遊技盤等が装備され、前枠の裏面側や遊技盤の裏面側に制御基板が取り付けられている。スロットマシンにおいても同様に、フロントマスクの裏面側やキャビネットの内側に制御基板が取り付けられている。
【０００３】
これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している。このため、制御基板は、偽造ＲＯＭへの差し替え等の不正改造を防止するために、基板ケース内に収容されるとともに、この基板ケースはケースを開いたときにその痕跡が残るような不正開放（もしくは不正着脱）の防止手段が設けられて構成されている。
【０００４】
このような不正開放防止手段として、例えば、基板ケースをケース本体部材に対してケース蓋部材を所定の方向にスライドさせることで開閉可能に構成し、ケース本体部材およびケース蓋部材にそれぞれ対応する係合部を複数組設けて、ケース本体部材とケース蓋部材とを閉止状態で結合保持するときには、基板ケースにおけるいずれか一組の係合部の係合孔に特殊ピン等のストッパ部材を上記スライド方向とは直交する方向に挿入し、抜脱不能に係合させることによって、ケース本体部材に対するケース蓋部材のスライド移動を規制して、基板ケースを不正開放できないようにする構造のものが提案されている（例えば、特許文献１を参照）。このため、基板ケース内に収容された制御基板の保守点検等を行うときには、ケース蓋部材と蓋側係合部とを繋ぐ連結部をニッパ等の工具を用いて切断して蓋側係合部をケース蓋部材から切り離すことにより、基板ケースを開放できるようになっている。
【先行技術文献】
【特許文献】
【０００５】
【特許文献１】特開２００３−３８８０５号公報
【発明の概要】
【発明が解決しようとする課題】
【０００６】
上記のような不正開放防止機構においては、制御基板に対する複数回の保守点検や検査などを行うことが可能なように、前述のように本体側および蓋側係合部が複数組設けられており、ケース本体部材とケース蓋部材とを閉止状態で係合保持するときには、これら複数の係合部のうちいずれか一組がストッパ部材により連結されていればよい。そのため、保守点検等のために当該一組の係合部が切断されても他の三組は使用可能であり、基板ケースが開放されても別の組（未使用の組）の係合部を用いることで再び基板ケースを閉止状態に係合させることが可能となっている。
【０００７】
このとき、係合状態にある当該係合部については係合孔にストッパ部材が抜脱不能に挿入されているため、この係合孔にヤスリ等の工具を侵入させて不正を施すことは非常に困難である。しかしながら、非係合状態にある他の組の係合部については、当然ながら係合孔にストッパ部材は挿入されておらず、この係合孔は開口状態で露出されている。このため、この非係合状態にある係合部においては、ヤスリ等の工具を用いて係合孔に対して何らかの細工を施すことで前もってストッパ部材を挿抜可能にしておくことにより、その後、正規に当該組の係合部が利用されたときには、ストッパ部材が簡単に引き抜かれてしまい、基板ケースが不正に開放されるおそれがあるという問題がある。
【０００８】
本発明は、このような課題に鑑みてなされたものであり、簡便な構成で制御基板に対する不正行為を防止することができる基板ケースの不正開放防止機構を提供することを目的とする。
【課題を解決するための手段】
【０００９】
このような目的達成のために、本発明に係る基板ケースの不正開放防止機構は、ケース本体部材と、ケース本体部材に開閉可能に装着されるケース蓋部材とを備え、ケース本体部材に対しケース蓋部材を閉止状態で装着して形成されるケース内部に遊技機（例えば、実施形態におけるパチンコ機ＰＭ）に搭載された電子部品を制御する制御基板（例えば、実施形態における主制御基板３１）を収容する基板ケース（例えば、実施形態における主基板ケース７０）において、ケース本体部材に設けられ、ケース本体部材にケース蓋部材を装着したときにケース蓋部材に対向する側の一端が開口した本体側係合空間（例えば、実施形態における本体側開口部９４）が形成された複数の本体側係合部と、ケース蓋部材に設けられ、ケース本体部材にケース蓋部材を装着したときに本体側開口空間に対向して重なって本体側開口空間と外部とを連通させる蓋側係合空間（例えば、実施形態における蓋側開口部１０４）が形成されるとともに、ケース本体部材にケース蓋部材を装着したときに本体側係合部と対向して重なるように形成された複数の蓋側係合部と、外部側から蓋側係合空間および本体側係合空間に挿入されることにより本体側係合部および蓋側係合部と係合して、ケース本体部材にケース蓋部材を閉止装着した状態を保持するストッパ部材と、蓋側係合空間に係脱可能に係合し、ケース蓋部材がケース本体部材から外された状態で、ケース内部側から蓋側係合空間に挿入されて係合し蓋側係合空間を閉塞するキャップ部材と、蓋側係合空間に設けられ、外部側から挿入されるストッパ部材は蓋側係合空間を通過させるが、蓋側係合空間に挿入されたキャップ部材が外部側に抜け出るのを規制する規制部材（例えば、実施形態における位置決め突起１０７）とを備え、複数の本体側係合部および複数の蓋側係合部の少なくとも一組についてはストッパ部材を介して当該本体側係合部と当該蓋側係合部とを係合状態で連結可能にし、その他の組についてはキャップ部材により当該蓋側係合空間を閉塞可能に構成する。
【００１０】
また、上述の発明において、ストッパ部材は、本体側係合部および蓋側係合部に係合された状態で、連通方向と平行な回転軸の回りに回転自在に構成されることが好ましい。
【００１１】
さらに、上述の発明において、本体側係合部および蓋側係合部の少なくとも一方の内部に、ケース本体部材にケース蓋部材を装着したときに重ね合わされた対向面側に開口して、ストッパ部材もしくはキャップ部材を収納可能な収容空間が形成され、この収容空間内には、ストッパ部材およびキャップ部材を係脱可能に保持する係止手段（例えば、実施形態における係止アーム９６）が設けられていることが好ましい。
【００１２】
また、上述の発明において、本体側係合部および蓋側係合部の少なくとも一方におけるケース本体部材もしくはケース蓋部材との連結部（例えば、実施形態における蓋側連結部１０９）が切断可能に構成され、ストッパ部材により本体側係合部と蓋側係合部とを係合してケース本体部材にケース蓋部材を閉止装着した状態であっても、連結部を切断してケース本体部材からケース蓋部材を開放することができるように構成されていることが好ましい。
【発明の効果】
【００１３】
本発明に係る基板ケースの不正開放防止機構によれば、複数組の本体側係合部および蓋側係合部に対して、少なくとも一組についてはストッパ部材を介して蓋側係合部が本体側係合部に係合されることで、ケース本体部材にケース蓋部材を閉止して装着された状態のまま係合保持することが可能になるとともに、その他の組については上記係合保持状態のときにキャップ部材が規制部材によって蓋側係合空間に抜け止め状態で係合され蓋側係合空間および本体側係合空間を封止するので、外部からこれら係合空間内に工具等を侵入させて不正を施すことが防止される。このように、複数組全てをストッパ部材を用いて係合状態にせずとも、非係合状態の係合部についてはキャップ部材を用いて外部からこれら開口部への不正アクセスが抑止されるため、ケース蓋部材をケース本体部材から開放もしくは取り外すことができなくなり、基板ケースの不正開放を確実に防止することができる。
【００１４】
また、上述の発明において、ストッパ部材が本体側係合部および蓋側係合部に係合された状態で連通方向と平行な回転軸の回りに回転自在に構成されることで、基盤ケースを不正に開放する目的でストッパ部材や両係合部を破壊などした後に、このストッパ部材を両開口部内で接着固定等して見掛け上は正規な係合状態を取り繕うとしても、ストッパ部材が回転するか否かを確認をすることにより不正な開封を容易に且つ早期に発見することができる。
【００１５】
さらに、上述の発明において、ストッパ部材もしくはキャップ部材を収納可能な収容空間を形成して、この収容空間内にストッパ部材およびキャップ部材を係脱可能に保持する係止手段を設けることで、複数組の係合部に対して必要となる複数のストッパ部材およびキャップ部材を事前に収容空間内に備えておくことができるため、例えば、制御基板の検査完了後に、再び基板ケースを閉止させる際にこれら部材を簡単に取り出すことが可能になるため、基板ケースの開封・閉止作業における作業効率を飛躍的に向上させることができる。
【００１６】
また、上述の発明において、本体側係合部もしくは蓋側係合部の連結部を切断してケース本体部材からケース蓋部材を開放することができるように構成されることで、基板ケースの開放後にその切断痕跡が明確に残り、不正な開封を早期に発見することができる。
【図面の簡単な説明】
【００１７】
【図１】本発明を適用した遊技機の代表例として示すパチンコ機の正面図である。
【図２】上記パチンコ機の背面斜視図である。
【図３】上記パチンコ機に設けられた主基板アッセンブリの分解斜視図である。
【図４】主基板アッセンブリの平面図である。
【図５】ケース本体部材の平面図である。
【図６】ケース本体部材の要部の拡大図である。
【図７】ケース蓋部材を示す図であって、（ａ）は平面図であり、（ｂ）は底面図である。
【図８】不正開放防止機構の分解斜視図である。
【図９】ストッパ部材の斜視図である。
【図１０】キャップ部材の斜視図である。
【図１１】ケース蓋部材がケース本体部材に係合した状態を示す平面図である。
【図１２】（ａ）は図１１中の矢印ＩＶ−ＩＶに沿った断面図であり、（ｂ）は図１１中の矢印Ｖ−Ｖに沿った面図である。
【図１３】ケース蓋部材がケース本体部材に係合した状態を示す斜視図である。
【図１４】ケース本体部材にストッパ部材およびキャップ部材を収納した状態を示す斜視図である。
【発明を実施するための最良の形態】
【００１８】
以下、本発明の好ましい実施形態について図面を参照して説明する。まず、本発明を適用した遊技機の代表例としてパチンコ機ＰＭの正面図を図１に示すとともに、パチンコ機ＰＭの背面斜視図を図２に示しており、この図を参照してパチンコ機ＰＭの全体構成について概要説明する。
【００１９】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００２０】
前枠２の前面側上部には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル８が設けられ、操作ハンドル８の正面左側には効果音を発生するスピーカ９が設けられている。ガラス扉５の背後に位置する前枠上部には、遊技盤１０を着脱可能に収容する収容枠（図示しない）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００２１】
遊技盤１０は、積層合板の表面に所定意匠のセルを貼り付けた化粧板１１（ベニヤ板とも称される）を基板として構成される。化粧板１１の前面には、内外の案内レール１２が円弧状に固設されてこの案内レール１２で囲まれた内側に略円形の遊技領域ＰＡが区画され、この遊技領域ＰＡに多数本の遊技釘や風車１３とともに、一般入賞具や始動具並びに大入賞口を備えたアタッカー等の各種入賞具１４、および遊技の進行状況に応じて所定の図柄を表示させる画像表示装置１５が設けられている。遊技領域ＰＡの下端には、入賞具１４に入賞せずに遊技領域ＰＡの下端まで落下した遊技球（「アウト球」という）を、遊技盤１０の裏面に排出させるアウト口１６が設けられている。各入賞具１４に落入した遊技球（「セーフ球」という）は、これらの入賞具１４に設けられた入賞口スイッチ又は始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。ガラス扉５および遊技盤１０の各部には、遊技展開を視覚的に演出するＬＥＤやランプ等の光源を用いた電飾装置１７が設けられている。
【００２２】
以上のように構成されたパチンコ機ＰＭは、前枠２、ガラス扉５、および球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が遊技球発射装置（図示せず）により１球ずつ遊技盤１０の遊技領域ＰＡに打ち出され、以降パチンコゲームが展開される。
【００２３】
遊技盤１０の裏面側には、パチンコ機ＰＭ全体の制御を行う主制御基板３１（図３を参照）が収容された主基板アッセンブリ３０や、画像表示装置１５に表示される画像の制御を行う画像制御基板（図示せず）が収容された画像制御基板アッセンブリ４０が取り付けられている。なお、以降の説明においては、図２の状態を基準にして前後左右、および、上下を定義する。
【００２４】
遊技盤１０の中央部には画像表示装置１５を取り付けるための開口部１８が形成されており、この開口部１８を挟むように遊技盤１０の裏面側の左右縁部に画像アセンブリ取付部１９ａ，１９ｂが配設されている。画像制御基板アッセンブリ４０の左右両縁部の上下には取付突起部４０ａ，４０ｂが形成されており、この取付突起部４０ａ，４０ｂがネジ締結等で画像アッセンブリ取付部１９ａ，１９ｂに取り付けられて画像制御基板アッセンブリ４０が遊技盤１０に固定される。
【００２５】
また、遊技盤１０の下部における裏面側の左右縁部には、主基板取付部２０ａ，２０ｂが配設されており、この主基板取付部２０ａ，２０ｂに主基板アッセンブリ３０が取り付けられている。なお、主基板取付部２０ａ，２０ｂは、画像アッセンブリ取付部１９ａ，１９ｂよりも後方に突出するように形成されており、主基板アッセンブリ３０の上部が、後面視において、画像制御基板アッセンブリ４０の下部を後方から覆うように遊技盤１０に取り付けられている。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２６】
次に、主基板アッセンブリ３０について図３〜図７を参照して説明する。ここで、図３は主基板アッセンブリ３０の分解斜視図であり、図４は主基板アッセンブリ３０の平面図であり、図５は主基板ケース７０を構成するケース本体部材５０を示す図であり、図６はケース本体部材５０の要部を拡大した図であり、図７は主基板ケース７０を構成するケース蓋部材６０を示す図である。
【００２７】
主基板アッセンブリ３０は、パチンコ機ＰＭの作動を統括的に制御する主制御基板３１と、主制御基板３１を内部に収容する主基板ケース７０（図４を参照）とから構成される。さらに、主基板ケース７０は、遊技盤１０の裏面側に着脱されるケース本体部材５０と、このケース本体部材５０に着脱自在に取り付けられるケース蓋部材６０とから構成される。この主基板アッセンブリ３０は、主制御基板３１がケース蓋部材６０の内面側に取り付けられた状態で、このケース蓋部材６０をケース本体部材５０に装着可能に構成される。
【００２８】
主制御基板３１は、図３に示すように、矩形板状の形状を有しており、中央部に配設されたＲＯＭやＲＡＭを内蔵のＣＰＵ等の電子デバイス３２や左右に配設された接続コネクタ３３等の電子部品、および両面に配設された複数の配線パターン（図示せず）を有して構成される。この制御基板３１の四隅には、基板取付孔３４が形成されており、基板取付ネジ３５をこの基板取付孔３４に挿入し、図７に示すケース蓋部材６０の基板取付部（ネジ孔）６７に対して螺挿してネジ締結するように構成されている。
【００２９】
ケース本体部材５０は、主基板ケース７０が遊技盤１０に取り付けられた状態で後面側に開口を有する矩形箱状の形状を有しており、ＡＢＳ樹脂やポリカーボネート（ＰＣ）等の透明な樹脂材料を用いて射出成形等の成形手段により一体的に成形される。このケース本体部材５０の内面側底部５１には、図３に示すように、補強リブ５１ａが縦横に格子状に形成されており、ケース本体部材５０の強度を向上させている。
【００３０】
ケース本体部材５０の側壁部（図３においては、底部５１の上下の縁部から後方に延びる後壁部）５３，５３のそれぞれには、複数の蓋部材取付溝５４が形成されている。図６を用いて詳細に説明すると、側壁部５３は、底部５１から後方に延びる第１壁部５３ａと、この第１壁部５３ａより外側に広がり、この第１壁部５３ａの後端部から後方に延びる第２壁部５３ｂとからなり、ケース本体部材５０の内面側が階段状に形成されている。そして、蓋部材取付溝５４は、第２壁部５３ｂに形成されており、後方およびケース本体部材５０の内面側が開口するように形成されている。この蓋部材取付溝５４は、後方および内面側に開口する挿入溝部５４ａと、左方に延びて内面側に開口する係止溝部５４ｂとから構成されており、図２の状態で下方もしくは上方から見たときに側壁部５３に対してＬ字状の溝として形成されている。
【００３１】
また、第１壁部５３ａの内側の壁面と平行に、蓋部材取付溝５４のそれぞれと対向するように、蓋部材押圧壁５２が底部５１から後方に板状に延びて形成されている。この蓋部材押圧壁５２の左右方向幅は、蓋部材取付溝５４の左右方向幅と略同一大きさに形成されており、図２の状態において上方もしくは下方から見たときに、蓋部材押圧壁５２と蓋部材取付溝５４とは重なるように配置されている。
【００３２】
ケース蓋部材６０は、ケース本体部材５０の開口を覆う矩形箱状の形状を有しており、ＡＢＳ樹脂やポリカーボネート（ＰＣ）等の透明な樹脂材料を用いて射出成形等の成形手段により一体的に成形される。図３に示すように、このケース蓋部材６０の上下方向縁部から前方に延びる側壁部６９には、外方（図７においては上下方向）に突出する係止突起部６２が複数形成されている。この係止突起部６２は、上述の蓋部材取付溝５４と同じ数だけ形成されており、その配置間隔も蓋部材取付溝５４と対応している。また、この側壁部６９の内面側には、図７に示すように、各々の係止突起部６２と対応して、内方に突出する押圧突起部６１が形成されている。この押圧突起部６１は、係止突起部６２に対して、ケース本体部材５０にケース蓋部材６０を取り付けるときにスライド移動させる方向と反対方向にずれて形成されている。
【００３３】
そのため、ケース本体部材５０に対してケース蓋部材６０を取り付けるときは、図２の状態で、後方から蓋部材取付溝５４の挿入溝部５４ａに係止突起部６２を挿入し、その後、ケース蓋部材６０を左右方向（この実施形態においては左方向）にスライド移動させて係止突起部６２を係止溝部５４ｂに挿入させることで、係止突起部６２と蓋部材取付溝５４とを嵌合させる。
【００３４】
このとき、係止突起部６２を蓋部材取付溝５４の挿入溝部５４ａに挿入した状態では、押圧突起部６１は、蓋部材押圧壁５２の右方に位置するが、この状態からケース蓋部材６０をケース本体部材５０に対して左方にスライド移動させ係止突起部６２が係止溝部５４ｂに挿入されるにしたがって、側壁部６９が外方に押し出される。そして、係止突起部６２が係止溝部５４ａに完全に挿入された状態では、側壁部６９の外側面と第２壁部５３ｂの内側面とが密接し、押圧突起部６１は第２壁部５３ｂと蓋部材押圧壁５２とに挟持される。
【００３５】
ケース本体部材５０とケース蓋部材６０とを以上のように構成すると、このケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、ケース蓋部材６０の側壁部６９は、押圧突起部６１と蓋部材押圧壁５２とによりケース本体部材５０の第２壁部５３ｂの内側面に押し付けられて密接しているため、側壁部６９を内側に押し込むことができず、係止突起部６２を蓋部材取付溝５４から外すことができない。また、側壁部６９と第２壁部５３ｂとの間のクリアランスがほとんどないため、ドライバ等を挿入して内部の主制御基板３１を操作することや、係止突起部６２または蓋部材取付溝５４を削ることもできない。
【００３６】
ここで、ケース本体部材５０の左端部には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０およびケース蓋部材６０は、上述のように、樹脂材料で形成されており、これらの本体側仮止部５５および蓋側仮止部６３は薄く形成されているため、容易に撓めることができる。そのため、蓋側仮止部６３の左端側を本体側仮止部５５から離すように撓めることにより、本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３７】
このように、主制御基板３１が収容される主基板ケース７０を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。また、このようにケース本体部材５０にケース蓋部材６０をスライドして取り付ける構成にすると、ケース本体部材５０側に蓋部材取付溝５４を形成し、ケース蓋部材６０に係止突起部６２を形成することで取り付け構造ができるため、主基板ケース７０の構造を簡単にすることができる。
【００３８】
以上のように、主制御基板３１は、主基板ケース７０（ケース本体部材５０およびケース蓋部材６０）内に収容されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０の主基板ケース７０には不正開放防止機構８０が設けられている。そこで、図８〜図１４を追加参照して主基板アッセンブリ３０に設けられた不正開放防止機構８０について以下に詳しく説明する。
【００３９】
ここで、図８は不正開放防止機構８０の分解斜視図であり、図９はストッパ部材１１０を示す斜視図であり、図１０はキャップ部材１２０を示す斜視図であり、図１１はケース蓋部材１００がケース本体部材９０に係合した状態を示す平面図であり、図１２は図１１中の矢印ＩＶ−ＩＶおよび矢印Ｖ−Ｖに沿った断面図であり、図１３はケース蓋部材１００がケース本体部材９０に係合した状態を示す斜視図であり、図１４はケース本体部材９０にストッパ部材１１０およびキャップ部材１２０を収納した状態を示す斜視図である。
【００４０】
不正開放防止機構８０は、図３等に示すように、ケース本体部材５０の左端側に連結して一体に形成された４つの本体側係合部９０と、ケース蓋部材６０の左端側に連結して形成された４つの蓋側係合部１００と、本体側係合部９０および蓋側係合部１００に挿入されて、ケース本体部材５０にケース蓋部材６０を固定保持するストッパ部材１１０と、ケース蓋部材１００と係脱可能なキャップ部材１２０とから構成される。
【００４１】
本体側係合部９０は、図８等に示すように、後面側に開口を有する略矩形箱状の形状を有して構成されており、ケース本体部材５０にケース蓋部材６０が取り付けられたときに蓋側係合部１００に覆われる底面部９１と、この底面部９１の上下方向縁部および左方向縁部から後方に延び、ケース本体部材５０にケース蓋部材６０が取り付けられたときに蓋側係合部１００の外周部の周りを外側から覆う壁面部９２とを備えている。本体側係合部９０は、底面部９１から後方に段差状に突出した段部９３を有しており、この段部９３の略中央部には後方に開口し略筒状に凹設された本体側開口部９４（挿通孔）が形成されている。本体側開口部９４の開口縁部には、テーパー状に拡径された溝部９４ａが形成されている。
【００４２】
また、本体側係合部９０の内部には、底面部９１、壁面部９２、および段部９３に囲まれて収容空間９５が形成されており、この収容空間９５内には、所定の間隔を隔てて互いに対向するとともに底面部９１から後方に向かって延設された一対の係止アーム９６，９６が形成されている。各係止アーム９６の先端部には、対向方向に延びる係止突起９７が弾性変形可能に形成されており、ストッパ部材１１０およびキャップ部材１２０と係合可能になっている。これにより、ストッパ部材１１０またはキャップ部材１２０を係止アーム９６に係合させて収容空間内９５に収納することで、これらの部材１１０，１２０を予備品・付属品として主基板ケース７０内に備えておくことができる。また、収容空間９５内において、上下の壁面部９２の内側の左隅部には、ケース本体部材５０にケース蓋部材６０が取り付けられたときに蓋側係合部１００を抑えるための対向方向に延びる平板状の一対の係止リブ９８，９８がそれぞれ形成されている。
【００４３】
一方、蓋側係合部１００は、ケース蓋部材６０をケース本体部材５０に取り付けたときに本体側係合部９０に対向して重なるように構成されており、略矩形板形状に形成されたプレート部１０１と、このプレート部１０１の外周部を囲む略コ字状の枠部１０２とを有して構成される。プレート部１０１には、ケース蓋部材６０をケース本体部材５０に取り付けたときに本体側開口部９４に対向して位置する蓋側開口部１０４が形成されている。
【００４４】
蓋側開口部１０４には、プレート部１０１から後方に突出したリング形状の円環部１０５が形成されており、この円環部１０５の中央において挿通孔１０６がプレート部１０１を前後方向に貫通して設けられている。円環部１０５上には、扇形状の位置決め突起１０７，１０７が互いに対向して（１８０度間隔で対称に）一対形成されており、この位置決め突起１０７は挿通孔１０６の外周側の一部を塞ぐように内方に突出して形成されている。挿通孔１０６内には、この挿通孔１０６の内壁面から内方に突出する一対の係合爪部１０８，１０８が一対の位置決め突起１０７，１０７と周方向に略９０度ずれて形成されている。係合爪部１０８には挿通孔１０６の内壁面に沿って湾曲状に切り込まれた切り欠き部１０８ａ（図１２を参照）が形成されており、係合爪部１０８が弾性変形により内外へ揺動可能になっている。
【００４５】
枠部１０２の後端面からは、Ｌ字状に折曲して延びる３つの突片１０３（１０３ａ，１０３ｂ，１０３ｃ）が形成されており、この後端面の周縁に沿って左側および上側の突片１０３ａ，１０３ｂの間と、左側および下側の突片１０３ａ，１０３ｃの間とには、上述の一対の係止リブ９８に嵌合可能な係合面１０２ａが形成されている。
【００４６】
なお、ケース蓋部材６０において主制御基板３１を収納する領域を形成する左側の側壁部６９と蓋側係合部１００との間に跨って、ケース蓋部材６０と蓋側係合部１００とを連結する蓋側連結部１０９が形成されている。この蓋側連結部１０９は切断可能に構成されており、ケース蓋部材６０から蓋側係合部１００を分離可能である。
【００４７】
ストッパ部材１１０は、図９に示すように、ＡＢＳ樹脂やポリカーボネート（ＰＣ）等の樹脂材料を用いて、射出成等の成形手段により略円筒形状に一体的に成形されており、中空円筒状のピン部１１１と、ピン部１１１の基端側を塞ぐ円盤状の頭部１１２と、頭部１１２から凸状に突出した摘み部１１３と、ピン部１１１の中間位置において拡径して上述の係合爪部１０８と係合可能な係合突起１１４とを主体に構成される。頭部１１２の外周部には、蓋側係合部１００における一対の位置決め突起１０７，１０７を通過させる略凹状の一対の位置決めスリット１１５，１１５が１８０度間隔で対称に形成されている。また、係合突起１１４の外周部には、本体側係合部９０における本体側開口部９４の溝部９４ａの形状に合わせて面取り部１１４ａが形成されている。
【００４８】
キャップ部材１２０は、図１０に示すように、ストッパ部材１１０と同じくＡＢＳ樹脂やポリカーボネート（ＰＣ）等の樹脂材からなるもので、その外周部が蓋側開口部１０４における内周部の形状に合わせて形成されている。キャップ部材１２０の外周部には、一対の係合スリット１２１，１２１が互いに対向して（１８０度間隔で対称に）形成されており、蓋側開口部１０４の係合爪部１０８，１０８とそれぞれ係合するようになっている。また、キャップ部材１２０には、外周部から外側に突出する一対の係止爪１２２，１２２が互いに対向して（１８０度間隔で対称に）形成されており、外周部を貫通する一対の切れ込み部１２３，１２３がこの係止爪１２２を挟むように形成されているため、係止爪１２２が弾性変形により内外へ揺動可能になっている。
【００４９】
このように構成される不正開放防止機構８０において、ケース蓋部材６０をケース本体部材５０に対して閉じた状態で本体側係合部９０と蓋側係合部１００とを連結するには、ケース本体部材５０に取り付けられたケース蓋部材６０の右方向へのスライドを規制するために、ストッパ部材１１０を蓋側開口部１０４および本体側開口部９４に挿入して係合させることで行われる。ストッパ部材１１０をこれら開口部９４，１０４に挿入するには、まず、ストッパ部材１１０の位置決めスリット１１５を蓋側開口部１０４の位置決め突起１０７に位置合わせした状態で、ストッパ部材１１０のピン部１１１を円環部１０５から内部へ挿入し、ピン部１１１を一対の係合爪部１０８，１０８の間に通過させるようにする。
【００５０】
続いて、ストッパ部材１１０の係合突起１１４が挿通孔１０６内において係合爪部１０８まで到達すると、係合爪部１０８が係合突起１１４（面取り部１１４ａ）の外周部に当接して外方へ弾性変形することで、係合突起１１４を一対の係合爪部１０８，１０８の間を通過させることができる。そして、蓋側開口部１０４の位置決め突起１０７にストッパ部材１１０の位置決めスリット１１５を通過させ、ストッパ部材１１０の係合突起１１４が係合爪部１０８から脱して本体側開口部９４の溝部９４ａ内まで達すると、ストッパ部材１１０の頭部１１２が係合爪部１０８の基端部に突き当たって当接されるとともに、外方へ拡開された係合爪部１０８が内方へ復元してストッパ部材１１０の係合突起１１４と係合する。すなわち、ストッパ部材１１０（係合突起１１４）が係合爪部１０８と係合することにより、本体側係合部９０と蓋側係合部１００とが係止保持された状態になる。
【００５１】
この状態になると、ケース蓋部材６０をケース本体部材５０に対して開放させようとしても（右方向にスライド移動させようとしても）、係合突起１１４が係合爪部１０８と係合した状態でストッパ部材１１０のピン部１１１および係合突起１１４が本体側開口部９４の内壁面に当接しているため上方に押し上げられることはなく、ストッパ部材１１０が本体側係合部９０から離脱することはない。そのため、本体側係合部９０と蓋側係合部１００とは固定され、ケース本体部材５０に対してケース蓋部材６０を固定保持（係止状態にする）ことができる。
【００５２】
このようにして、ケース蓋部材６０をケース本体部材５０に対してスライド移動させて、蓋側係合部１００が本体側係合部９０と対向して重なる状態でストッパ部材１１０を蓋側開口部１０３および本体側開口部９３に挿入して係合させると、本体側係合部９０と蓋側係合部１００とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部９０と蓋側係合部１００とをストッパ部材１１０を介して容易に連結させることができ、ケース本体部材５０とケース蓋部材６０とを閉止状態で容易に結合保持することができる。
【００５３】
そして、このような不正開放防止機構８０によりケース本体部材５０とケース蓋部材６０とが閉止状態で結合保持されれば、本体側係合部９０および蓋側係合部１００とストッパ部材１１０との係合を解除するのは非常に困難であり、主基板ケース７０（主基板アッセンブリ３０）を開くためには、蓋側連結部１０９を切断して蓋側係合部１００をケース蓋部材６０から切り離す必要がある。そのため、主基板ケース７０の開放後は、蓋側連結部１０９の切断痕跡が明確に残るため、不正な開放を早期に発見することができるとともに、不正行為を効果的に抑止できる。
【００５４】
また、蓋側係合部１００が本体側係合部９０と連結された状態では、蓋側係合部１００の突片１０３が本体側係合部９０の壁面部９２に当接するとともに、本体側係合部９０の係合リブ９８が蓋側係合部１００の係合面１０２ａと対向して重なっていることで、本体側係合部９０の壁面部９２と蓋側係合部１００の枠部１０２との間の隙間（クリアランス）は完全に覆われている。そのため、壁面部９２と枠部１０２との隙間からドライバ等を挿入して蓋側係合部１００をこじ開けるのは困難であり、主基板ケース７０が不正に開放されるのをより確実に防止することができる。
【００５５】
さらに、ストッパ部材１１０は係合爪部１０８に離脱不能に係合され引き抜く方向への移動が規制されているものの、本体側および蓋側開口部９４，１０４内において回転することは許容されているため、不正な手段によりストッパ部材１１０が開口部９４，１０４から強制的に引き抜かれて、その後、再び戻されたような場合には、その不正行為の事実を容易に発見できるようになっている。すなわち、ストッパ部材１１０を強制的に引き抜いた場合には、蓋側係合部１００の係合爪部１０８およびストッパ部材１１０の係合突起１１４の少なくとも一方が破断されている可能性が高いため、その後、不正行為を隠すために再びストッパ部材１１０を蓋側開口部９４および本体側開口部１０４に挿入して戻したとしても、係合爪部１０８と係合突起１１４とが再度係合することはない。このため、ストッパ部材１１０を回転させて位置決めスリット１１５が蓋側係合部１００の位置決め突起１０７に重なった状態で、ストッパ部材１１０を引き抜くことができるか否かを確認することで、不正な開封の有無を容易に発見することができる。一方、不正行為を隠すためにストッパ部材１１０を蓋側開口部１０４および本体側開口部９４に再び戻して、ストッパ部材１１０をこれらの開口部９４，１０４内に接着剤等で固定することで本体側係合部９０と蓋側係合部１００とを本来の係合状態に見せかけた場合には、摘み部１１３を持ってストッパ部材１１０を回転させようとしても固着されて回転できないため、このようにストッパ部材１１０の回転確認をすることで不正な開封の有無を容易に発見することができる。また、このようにストッパ部材１１０には、頭部１１２に摘み部１１３が形成されているため、蓋側開口部１０４内に頭部１１２まで沈めて開口を塞いでも、この摘み部１１２を掴むことでストッパ部材１１０を容易に回転させることができるため、この確認作業を容易にすることができる。
【００５６】
なお、前述したように、主基板ケース７０（ケース本体部材５０およびケース蓋部材６０）の材料として透明な樹脂材料を使用しているが、その中でもＡＢＳ樹脂を使用することが好ましい。これにより、上記のような部材に対して切断操作を行うと、ＡＢＳ樹脂の成分であるブタジエンがゴム性を有して伸び、部材が割れずに白色化しやすいため、その切断痕跡が明確に残りやすいという効果が得られる。
【００５７】
次に、以上のようにしてケース本体部材５０とケース蓋部材６０とが閉止状態で係止保持された主基板アッセンブリ３０において、その内部に収容された主制御基板３１の保守点検作業や検査等を行う場合について説明する。
【００５８】
主制御基板３１の検査等を行うときには、例えば、ニッパ等の工具を用いて、本体側係合部９０に係合された蓋側係合部１００の蓋側連結部１０９を切断する。これにより、蓋側係合部１００とケース蓋部材６０とが切り離されるので、主基板ケース７０を開放することができ、ケース蓋部材６０に覆われた主制御基板３１の検査等を行うことができる。
【００５９】
なお、このとき、蓋側連結部１０９が切断されて、ケース蓋部材６０から切り離された蓋側係合部１００とともにストッパ部材１１０を本体側係合部９０から離脱させようとしても、本体側係合部９０の係止リブ９８と蓋側係合部１００の係合面１０２ａとが対向して重ねられた状態にあるため、本体側係合部９０に対する蓋側係合部１００の移動が規制される。そのため、本体側係合部９０から蓋側係合部１００およびストッパ部材１１０を取り外す（引き離す）ことはできない。これにより、使用済みの本体側係合部９０および蓋側係合部１００については検査後も連結状態のまま放置しておけばよいため、主制御基板３１の検査等の際に、この使用済みの蓋側係合部１００およびストッパ部材１１０を取り外して処分する等の手間が省けて作業効率が向上する。
【００６０】
ところで、本体側係合部９０および蓋側係合部１００は、ケース本体部材５０およびケース蓋部材６０の左端側にそれぞれ４つずつ設けられているが、本体側係合部９０と蓋側係合部１００とを連結させてケース本体部材５０とケース蓋部材６０とを閉止状態で結合保持するときには、本体側係合部９０および蓋側係合部１００のいずれか一組がストッパ部材１１０により連結されていればよい。そのため、本体側係合部９０と係合した蓋側係合部１００の蓋側連結部１０９が切断されても他の三組はまだ使用可能であり、主制御基板３１を検査等するために、閉止状態（係止状態）の主基板ケース７０が開放されても、別の不正開放防止機構８０の組を用いて再び主基板ケース７０を閉止状態（係止状態）にすることができる。
【００６１】
ここで、ストッパ部材１１０が挿入されて係合状態にある本体側係合部９０および蓋側係合部１００では、図１３に示すように、蓋側開口部（挿入孔）１０４の開口端部がストッパ部材１１０の頭部１１２により完全に閉塞されているため、蓋側開口部１０４および本体側開口部９４に工具等を侵入させて不正を施すことが防止される。しかしながら、ストッパ部材１１０により係合されていない本体側係合部９０および蓋側係合部１００の組（未使用の組）については、本体側開口部９４および蓋側開口部１０４が開口状態となっている。このため、前もってこれら開口部９４，１０４をヤスリ類の工具で削るなどの不正を施してストッパ部材１１０を予め挿抜可能にしておくことで、正規に当該組の不正開放防止機構８０が用いられた場合に、ストッパ部材１１０を簡単に引き抜いて主基板ケース７０が開放されることで、主制御基板３１が不正にアクセスされてしまうという問題がある。そこで、本実施形態では、未使用の組の本体側係合部９０と蓋側係合部１００については、前述のキャップ部材１２０を蓋側開口部１０４内に装着することによって、ストッパ部材１１０を挿入せずともこれら開口部９４，１０４を閉塞可能なように構成されている。
【００６２】
蓋側開口部１０４にキャップ部材１２０を装着するには、ケース蓋部材６０をケース本体部材５０から取り外した状態で、まず、蓋側開口部１０４内の一対の係合爪部１０８，１０８にキャップ部材１２０の一対の位置決めスリット１２１，１２１を通過させるように、キャップ部材１２０を蓋側係合部１００の裏面側（ストッパ部材１１０を挿入する面とは逆側の面）から挿入する。そして、キャップ部材１２０の先端面が蓋側開口部１０４の位置決め突起１０７の裏面側に当接する位置まで挿入されたところで、キャップ部材１２０が蓋側開口部１０４に装着される。このとき、キャップ部材１２０が挿通孔１０６に挿入されると、キャップ部材１２０の係合爪部１０８が挿通孔１０６を形成する内壁面に押し付けられて弾性で外方に付勢するため、この蓋側係合部１００の裏面側が下方を向けられても、キャップ部材１２０は容易に脱落しないようになっている。
【００６３】
そして、再び、ケース蓋部材６０をケース本体部材５０に取り付けて主基板ケース７０を閉止状態にする際は、まず、未使用のいずれか一組の蓋側係合部１００にはキャップ部材１２０を装着せずに、他の組の蓋側係合部１００にのみキャップ部材１２０を装着しておく。
【００６４】
ケース蓋部材６０をケース本体部材５０に取り付けて蓋側係合部１００を本体側係合部９０と対向して重なる状態にすると、使用しない組の本体側係合部９０と蓋側係合部１００との開口部９４，１０４はキャップ部材１２０によって閉塞されるため、前述したようなストッパ部材１１０を挿抜可能にする目的で前もってこれら開口部９４，１０４に不正が施されるのが防止され、不正行為をより効果的に抑止することが可能になる。そして、キャップ部材１１０により開口部９４，１０４を塞がなかった未使用の一組の本体側係合部９０および蓋側係合部１００に対しては、その後ストッパ部材１１０を挿入して係合させることで、ケース本体部材５０とケース蓋部材６０とを再び係止保持状態にすることができる。
【００６５】
また、ケース本体部材５０とケース蓋部材６０とが一旦係止保持されれば、キャップ部材１２０を蓋側係合部１００から取り外そうとしても、このキャップ部材１２０は蓋側係合部１００に内側から装着されて一対の位置決め突起１０７により抜け止めがなされているため、蓋側開口部１０４からのキャップ部材１２０の離脱が規制されるようになっている。そのため、蓋側開口部１０４および本体側開口部９４に不正が施こされるのをより確実に防止することができる。
【００６６】
なお、本実施形態では、主基板ケース７０の閉止および開封を計４回可能なように、最初の閉止で用いられる１つのストッパ部材１１０と３つのキャップ部材１２０（最初の閉止では、１組がストッパ部材１１０により係合され、他の３組がキャップ部材１２０により閉塞される）との他、更に２回目以降に用いられる３つのストッパ部材１１０が必要となる。よって、１つの主基板ケース７０に対して計４回の閉止および開封を行うには、ストッパ部材１１０を計４つ、キャップ部材１２０を計３つ備える必要があるが、使用の際にこれらの部材を迅速に取り出せるようにするために、本体側係合部９０内には、ストッパ部材１１０およびキャップ部材１２０を収納保持可能な前述の収容空間９５が形成されている。
【００６７】
そのため、最初の閉止の際は、キャップ部材１２０を挿入して非係合状態になる本体側係合部９０および蓋側係合部１００の３つの組には、各収容空間９５内において次回以降に使用されるストッパ部材１１０を係止アーム９６に係合させて収納保持すればよい。そして、２回目以降の閉止の際には、未使用のいずれか一組において、それまで収容空間９５に収納されたストッパ部材１１０を取出すとともに、キャップ部材１２０を蓋側係合部１００から離脱させた後、今度はこのキャップ部材１２０を係止アーム９６に係合させて収容空間９５内に収納する。そして、取り出したストッパ部材１１０を用いて当該一組の本体側係合部９０と蓋側係合部１００とを係合させることで、再び主基板ケース７０を閉止状態にすることができる。これにより、主基板ケース７０の閉止・開封作業の際には、ストッパ部材１１０とキャップ部材１２０とを入れ替えるだけで必要な部材を容易に取り出して作業を行うことができるため、作業の効率化を図ることができる。
【００６８】
また、主基板ケース７０の開封・閉止作業の際には、切り取られた蓋側係合部１００の数により主基板ケース７０が何回開放されたかを容易に確認することができる。反対に、蓋側開口部１０４に挿入されたキャップ部材１２０の数により未使用の不正開放防止機構８０があと何組あるかを容易に確認することができる。
【００６９】
なお、主基板アッセンブリ３０は、前述のように、主制御基板３１がケース蓋部材６０の内面側に取り付けられた状態で、このケース蓋部材６０をケース本体部材５０に装着可能に構成されているが、主基板アッセンブリ３０の主基板取付部２０ａ，２０ｂに対する取付けは、ケース本体部材５０の左側部から外方に延びる左側固定部５８に取り付けられた左ナイラッチ（登録商標）３６と、ケース蓋部材６０の右側部から外方に延びる右側固定部６８に取り付けられた右ナイラッチ（登録商標）３７とが用いられる。
【００７０】
以上に説明した本実施形態による不正開放防止機構８０によれば、合計四組の本体側係合部９０および蓋側係合部１００に対して、少なくとも一組についてはストッパ部材１１０を介して蓋側係合部１００が本体側係合部９０に係合されることで、ケース本体部材５０にケース蓋部材６０を閉止して装着された状態のまま係合保持することが可能になるとともに、その他の組については上記係合保持状態のときにキャップ部材１２０が蓋側開口部１０４内で抜け止め状態で係合され両開口部９４，１０４を封止するので、外部からこれらの開口部９４，１０４にヤスリ等の工具を侵入させて不正を施すのが防止される。このように、これら四組全てをストッパ部材１１０を用いて係合状態にせずとも、非係合状態の係合部９０,１００の組についてはキャップ部材１２０を用いて外部から開口部９４，１０４への不正アクセスが抑止されるため、ケース蓋部材６０をケース本体部材５０から開放もしくは取り出すことができなくなり、主基板ケース７０の不正開放を確実に防止することが可能になる。
【００７１】
これまで本発明の好ましい実施形態について説明してきたが、本発明の範囲はこれに限定されるものではない。例えば、上述の実施形態においては、ケース本体部材５０およびケース蓋部材６０に本体側係合部９０および蓋側係合部１００が四組設けられているが、これに限定されるものではなく、二組以上の複数組設けられていればよいものである。また、上述の実施形態においては、本体側係合部９０と蓋側係合部１００とが一度に一組だけ連結されているが、これに限定されるものではなく、一度に複数組連結させてもよい。
【００７２】
また、上述の実施形態においては、不正開放防止機構８０が主基板アッセンブリ３０に構成される主基板ケース７０に設けられているが、これに限定されるものではなく、例えば、画像制御基板アッセンブリ４０に構成される基板ケースや、電源基板アッセンブリに構成される基板ケースに設けられてもよい。
【００７３】
さらに、上述の実施形態においては、不正開口防止機構８０を備えた主基板アッセンブリ３０がパチンコ機ＰＭに設けられているが、これに限定されるものではなく、例えば、スロットマシンや雀球遊技機等の遊技機に設けてもよい。
【符号の説明】
【００７４】
ＰＭ  パチンコ機
３０  主基板アッセンブリ
３１  主制御基板（制御基板）
５０  ケース本体部材
６０  ケース蓋部材
７０  主基板ケース（基板ケース）
８０  不正開放防止機構
９０  本体側係合部
９４  本体側開口部（本体側係合空間）
９５  収容空間
９６  係止アーム（係止手段）
１００  蓋側係合部
１０４  蓋側開口部（蓋側係合空間）
１０７  位置決め突起（規制部材）
１０９  蓋側連結部（連結部）
１１０  ストッパ部材
１２０  キャップ部材
【図１】
2010184063.tif 000003
【図２】
2010184063.tif 000004
【図３】
2010184063.tif 000005
【図４】
2010184063.tif 000006
【図５】
2010184063.tif 000007
【図６】
2010184063.tif 000008
【図７】
2010184063.tif 000009
【図８】
2010184063.tif 000010
【図９】
2010184063.tif 000011
【図１０】
2010184063.tif 000012
【図１１】
2010184063.tif 000013
【図１２】
2010184063.tif 000014
【図１３】
2010184063.tif 000015
【図１４】
2010184063.tif 000016